(57)【要約】【課題】視野枠に付勢部材を一体形成する必要なくプリズムを基準面に付勢できるようにすることにより、視野枠のコスト低減並びに視野枠の材料選択の自由度を向上させることのできるファインダーユニット及びこれを備えたカメラを提供すること。【解決手段】対物レンズからの被写体像を放射面５ｅ側に配置した視野枠７を通して視認させるプリズム５をファインダーベース８に収容してなるファインダーユニット２０において、上記ファインダーベース８に、上記プリズム５を該ファインダーベース８の基準面に対して押し付ける付勢部材９を一体形成してなることを特徴とするファインダーユニット及びこれを備えたカメラ。【選択図】　　　　図３
2004077730.tif 000002
【特許請求の範囲】
【請求項１】
対物レンズからの被写体像を放射面側に配置した視野枠を通して視認させるプリズムをファインダーベースに収容してなるファインダーユニットにおいて、上記ファインダーベースに、上記プリズムを該ファインダーベースの基準面に対して押し付ける付勢部材を一体形成してなることを特徴とするファインダーユニット。
【請求項２】
上記プリズム及びファインダーベースは、いずれも樹脂製であることを特徴とする請求項１記載のファインダーユニット。
【請求項３】
対物レンズからの被写体像を放射面側に配置した視野枠を通して視認させるプリズムをファインダーベースに収容してなるファインダーユニットにおいて、上記ファインダーベースは、上記プリズムを覆い且つ該プリズムに対して分割可能な２つの部材からなり、そのいずれか一方の部材に、該２つの部材の組み付け時にその分割方向に沿う方向から他の部材に対してプリズムを押圧する押圧部を形成すると共に、上記プリズムは、上記押圧部により押圧される平面部を有してなることを特徴とするファインダーユニット。
【請求項４】
上記ファインダーベースに、上記プリズムを該ファインダーベースの基準面に対して押し付ける付勢部材を一体形成してなることを特徴とする請求項３記載のファインダーユニット。
【請求項５】
上記プリズム及びファインダーベースは、いずれも樹脂製であることを特徴とする請求項４記載のファインダーユニット。
【請求項６】
上記押圧部及び平面部は、いずれもファインダーベースにおける後方側に位置すると共に、該押圧部及び平面部に近接して、上記２つの部材を固定する固定部が配置されていることを特徴とする請求項３、４又は５記載のファインダーユニット。
【請求項７】
上記固定部は、２つの部材のいずれか一方の部材に設けられた係止爪と、他方の部材に設けられ、上記係止爪に係合する係止穴とにより構成されることを特徴とする請求項６記載のファインダーユニット。
【請求項８】
請求項１〜７のいずれかに記載のファインダーユニットを有することを特徴とするカメラ。
【発明の詳細な説明】
【０００１】
【発明の属する技術分野】
本発明は、対物レンズからの被写体像を放射面側に配置した視野枠を通して視認させるプリズムをファインダーベースに収容してなるファインダーユニット及びこれを備えたカメラに関する。
【０００２】
【従来の技術】
カメラは、カメラ本体に撮影画角を確認するためのファインダー光学系を保持するファインダーユニットを備え、このファインダーユニット内に、対物レンズからの被写体像を放射面側に配置した視野枠を通して視認させるプリズムを収容している。
【０００３】
プリズムはパララックス等の発生を防止するため、ファインダーユニットのファインダーベースに取り付け誤差の生じないように収容される必要がある。このため従来のカメラでは、ファインダーベースの一面を基準面とし、プリズムを板ばね等を用いてこの基準面に付勢するように取り付けることで、対物レンズとプリズム及び該プリズムの放射面側の接眼レンズとの光軸を一致させるようにしている。
【０００４】
【発明が解決しようとする課題】
プリズムをファインダーベースの基準面に対して付勢する板ばねを独立した部材として構成する場合、部品点数の増加並びに組み付け作業の煩雑さを招く問題がある。そこで、従来では、図４（ａ）に示すように、プリズムの放射面側に取り付けられる視野枠２００の一部を切り起こして板ばね２０１を一体形成しておき、該プリズム３００及び視野枠２００をファインダーベース４００内に収容した際に、図４（ｂ）に示すように、上記視野枠２００がプリズム３００とファインダーベース４００の壁面４０１との間に挟着されるようにし、このとき視野枠２００に一体形成された板ばね２０１が、プリズム３００を該視野枠２００と反対側のファインダーベース壁面４０２（基準面）に付勢する構成をとっていた。
【０００５】
しかし、視野枠２００に板ばね２０１を一体形成するには、視野枠２００に板ばね２０１を曲げ加工する必要があり、これにより視野枠２００の製造コストの増加を招く問題がある。また、プリズム３００を付勢するのに必要な荷重を得るためには、板ばね２０１を形成する視野枠２００は金属製であることが望ましく、このため視野枠２００として選択可能な材料が大きく制限されてしまう。しかも、通常、ファインダーベース４００は合成樹脂により射出成形されるため、ファインダーベース４００への組み込み時に、金属製の板ばね２０１と樹脂製のファインダーベース４００とが摺動することにより、削りクズが発生する問題もある。
【０００６】
一方、プリズムを収容しているファインダーベースは、互いに分割可能な２つの部材からなり、それら２つの部材が、内部にプリズムを収容した状態でビス止めされて一体に組み付けられる。このためファインダーベースが分割される方向のプリズムの固定に取り付け誤差が生じ易く、これがパララックス等の原因となる問題がある。
【０００７】
そこで、本発明の第１の課題は、視野枠に付勢部材を一体形成する必要なくプリズムを基準面に付勢できるようにすることにより、視野枠のコスト低減並びに視野枠の材料選択の自由度を向上させることのできるファインダーユニット及びこれを備えたカメラを提供することにある。
【０００８】
また、本発明の第２の課題は、互いに分割可能な２つの部材から構成されるファインダーベース内に収容されるプリズムを、ファインダーベースの分割方向の取り付け誤差なく確実に固定することのできるファインダーユニット及びこれを備えたカメラを提供することにある。
【０００９】
【課題を解決するための手段】
上記課題は、以下の各発明によって解決される。
【００１０】
（１）対物レンズからの被写体像を放射面側に配置した視野枠を通して視認させるプリズムをファインダーベースに収容してなるファインダーユニットにおいて、上記ファインダーベースに、上記プリズムを該ファインダーベースの基準面に対して押し付ける付勢部材を一体形成してなることを特徴とするファインダーユニット。
【００１１】
（２）上記プリズム及びファインダーベースは、いずれも樹脂製であることを特徴とする（１）記載のファインダーユニット。
【００１２】
（３）対物レンズからの被写体像を放射面側に配置した視野枠を通して視認させるプリズムをファインダーベースに収容してなるファインダーユニットにおいて、上記ファインダーベースは、上記プリズムを覆い且つ該プリズムに対して分割可能な２つの部材からなり、そのいずれか一方の部材に、該２つの部材の組み付け時にその分割方向に沿う方向から他の部材に対してプリズムを押圧する押圧部を形成すると共に、上記プリズムは、上記押圧部により押圧される平面部を有してなることを特徴とするファインダーユニット。
【００１３】
（４）上記ファインダーベースに、上記プリズムを該ファインダーベースの基準面に対して押し付ける付勢部材を一体形成してなることを特徴とする（３）記載のファインダーユニット。
【００１４】
（５）上記プリズム及びファインダーベースは、いずれも樹脂製であることを特徴とする（４）記載のファインダーユニット。
【００１５】
（６）上記押圧部及び平面部は、いずれもファインダーベースにおける後方側に位置すると共に、該押圧部及び平面部に近接して、上記２つの部材を固定する固定部が配置されていることを特徴とする（３）、（４）又は（５）記載のファインダーユニット。
【００１６】
（７）上記固定部は、２つの部材のいずれか一方の部材に設けられた係止爪と、他方の部材に設けられ、上記係止爪に係合する係止穴とにより構成されることを特徴とする（６）記載のファインダーユニット。
【００１７】
（８）上記（１）〜（７）のいずれかに記載のファインダーユニットを有することを特徴とするカメラ。
【００１８】
【発明の実施の形態】
以下、本発明の実施の形態を図面に基づいて説明する。
【００１９】
最初に、本明細書における「前方側」と「後方側」について定義する。本明細書において「前方側」とは、カメラの正面側、即ち撮影レンズが配設されている側をいい、「後方側」とは、カメラの背面側、即ち撮影者により接眼される側をいう。
【００２０】
図１はファインダーユニットを組み付けたカメラの部分横断面図、図２は図１の（ＩＩ）−（ＩＩ）線に沿う縦断面図、図３はファインダーユニットの部分分解斜視図である。
【００２１】
本実施形態に示すカメラ１は、カメラ本体１０内の所定の位置にファインダーユニット２０が組み付けられている。なお、図１において上側が前方側、下側が後方側に相当し、図２において左側が前方側、右側が後方側に相当する。
【００２２】
ファインダーユニット２０は、対物レンズ２、接眼レンズ３、カメラのズームに連動するレンズ群４、プリズム５、反射ミラー６及び視野枠７を有しており、これらがファインダーベース８内に収容されている。ファインダーベース８は、いずれも合成樹脂により形成された上下に分割可能な上側部材８１と下側部材８２との２つの部材で構成され、下側部材８２内の所定位置に対物レンズ２、レンズ群４、プリズム５及び視野枠７がそれぞれ取り付けられている。
【００２３】
対物レンズ２は、ファインダーユニット２０における最も前方側においてファインダーベース８の下側部材８２に配設されており、そこから取り込まれた被写体像をその光軸上に配設されたレンズ群４を介してプリズム５の入射面５ａに入射させる。
【００２４】
プリズム５は、透明な合成樹脂により射出成形され、上記対物レンズ２及びレンズ群４を介して入射面５ａに入射した光を、第１反射面５ｂ、第２反射面５ｃ、第３反射面５ｄの順にそれぞれ略９０°の角度で反射させ、放射面５ｅから放射させるように構成され、上記第１反射面５ｂ及び第２反射面５ｃ側が後方側で、且つ第１反射面５ｂが下側部材８２に対向するようにファインダーベース８の下側部材８２内に収容されている。
【００２５】
ファインダーベース８の下側部材８２においてプリズム５が収容される部分は、該プリズム５の入射面５ａ及び第１反射面５ｂで構成される部位を、対物レンズ２及びレンズ群４の光軸と平行な２つの壁面８２ａ、８２ｂと第１反射面５ｂに平行な壁面８２ｃとで取り囲むように形成されており、そのうちのプリズム５の放射面５ｅと同一面側に位置する壁面８２ａには付勢部材９が合成樹脂により一体形成されている。この付勢部材９はファインダーベース８の下側部材８２を射出成形する際に一体成形される。
【００２６】
付勢部材９は、下側部材８２の壁面８２ａの上縁の一部を上方に延設した板片により形成されており、その壁面８２ａとの連接部９１を支点として先端側が弾性的に変形可能に構成されている。一方、プリズム５の表面には、下側部材８２に収容された際にこの付勢部材９に対応する位置に膨出部５１が突設されており、このプリズム５をファインダーベース８の下側部材８２内にその上方から収容すると、上記膨出部５１が付勢部材９の先端に当接し、更にプリズム５が下方に収容されるにつれて該付勢部材９を外側へ押しやるように押圧するようになっている。これにより付勢部材９には復元力が働き、この復元力によりプリズム５を反対側の壁面８２ｂに付勢する。従って、この壁面８２ｂをプリズム取り付け時の一基準面とすることで、プリズム５は付勢部材９によって基準面に対して付勢されて位置決めされる。
【００２７】
この付勢部材９は、合成樹脂からなるファインダーベース８の下側部材８２と合成樹脂により一体形成されるため、プリズム５を基準面に対して付勢するための付勢部材を別部材として構成してプリズム取り付け時にわざわざ組み付け作業する煩雑な手間は不要となる。また、プリズム５を下側部材８２に取り付ける際には付勢部材９とプリズム５とが摺動するが、これは樹脂と樹脂との摺動となるため、従来の金属と樹脂との摺動時に見られるような削りクズの発生の心配はない。
【００２８】
更に、プリズム５を基準面に付勢するための付勢部材９をファインダーベース８に一体形成しているため、従来のように視野枠に板ばね等の付勢部材を加工形成する必要がなくなり、視野枠の製造コストの低減化を図ることが可能となると共に視野枠の材料選択の自由度が増すようになる。そこで、本実施形態に示す視野枠７は、合成樹脂材を用いて、プリズム５の放射面５ｅの視野を決定する開口７１を形成したシート状とすることで安価に構成している。この視野枠７は、プリズム５の放射面５ｅと同一側面から突出するボス５２に視野枠７のボス穴７２が嵌合することで、プリズム５の放射面５ｅ側に位置決めされて添着され、ビス７３によりファインダーベース８の下側部材８２に対して固着される。
【００２９】
ファインダーベース８の上側部材８１は、上記対物レンズ２、レンズ群４、プリズム５及び視野枠７を収容した下側部材８２の上方からこれらを覆うように下側部材８２に対して組み付けられる。上側部材８１は、図１に示すように、平面視でプリズム５の第３反射面５ｄに平行な壁面８１ａと、該壁面８１ａに略９０°の角度で交差し、且つ平面視で該壁面８１ａと左右対称状に設けられる壁面８１ｂとを有しており、この壁面８１ｂの内面に反射ミラー６が取り付けられている。従って、プリズム５の放射面５ｅから視野枠７の開口７１を通って放射された光は、上側部材８１内において反射ミラー６で略９０°反射され、該上側部材８１の後方側でその反射光の光軸上に配設されている接眼レンズ３からカメラ本体１０外に放出される。
【００３０】
ファインダーベース８の上側部材８１と下側部材８２とは、上側部材８１が前方側に最も張り出す上記壁面８１ａと壁面８１ｂとが交差する頂点付近及び該頂点付近と壁面８１ｂを挟んだ位置においてそれぞれビス穴形成部８１ｄ、８１ｅが設けられ、下側部材８２の対応する位置に設けられたビス穴形成部８２ｄ、８２ｅとに亘ってそれぞれビス１０１、１０２により固定されて２箇所の固定部を構成している。
【００３１】
また、上側部材８１には、接眼レンズ３が設けられている最も後方側の壁面８１ｃに、該接眼レンズ３と並んで係止爪１０３が突設されると共に、下側部材８２の最も後方側に位置する壁面８２ｃの上部には、上側部材８１と下側部材８２とが組み付けられた際に、上記係止爪１０３と係合する係止穴１０４が開設された係止板１０５が上方に向けて突設されており、ファインダーベース８は、この最も後方側において上記係止爪１０３と係止板１０５の係止穴１０４とが係合することにより、上側部材８１と下側部材８２とが固定される３箇所目の固定部を構成している。
【００３２】
これによりファインダーベース８の上側部材８１は、前記ビス１０１、１０２による２箇所の固定部と最も後方側の上記係止爪１０３と係止穴１０４とによる固定部とが上側部材８１の周囲にほぼ均等に配置されることで、バランス良く下側部材８２と組み付けられるようになると共に、このファインダーベース８の最も後方側に位置する固定部は、係止爪１０３と係止穴１０４との引っ掛けによる固定であるため、両者をビス止めする場合のようなビス穴形成部を設ける必要がない。従って、ファインダーベース８の後方側にビス穴形成部が大きく張り出すことがなく、それだけファインダーユニット２０を小型化することができ、カメラの小型化を図り得るものとなる。
【００３３】
図３に示すように、プリズム５は、その第１反射面５ｂと第２反射面５ｃとが交差する部位が後方側に若干張り出すことにより張り出し部５３が形成され、その張り出し部５３の上面に、プリズム５の幅方向に亘ってファインダーベース８の上側部材８１に対向する平面部５４が形成されている。一方、ファインダーベース８の上側部材８１の内面には、その後方側において上記プリズム５の平面部５４に対応する位置に、上側部材８１と下側部材８２とを組み付けた際に該平面部５４に当接してこれを下側部材８２に向けて押圧するための平面からなる押圧部８１０が、上記プリズム５の平面部５４とほぼ同幅に形成されている。
【００３４】
上記押圧部８１０の下側部材８２側への突出量若しくはプリズム５の平面部５４の上側部材８１側への突出量は、プリズム５が下側部材８２内に収容され、その上方から上側部材８１を組み付けた際に、上記押圧部８１０と平面部５４とが互いにオーバーラップする程度とされ、これによりプリズム５を収容した下側部材８２にその上方から上側部材８１を組み付けると、上側部材８１の内面に形成されている上記押圧部８１０がプリズム５の平面部５４に当接し、両者のオーバーラップによってプリズム５の底面５ｆを下側部材８２の底部平面８２ｆに対して押圧する。従って、この底部平面８２ｆをプリズム取り付け時のもう一つの基準面とすることで、プリズム５は上側部材８１の組み付けによってこの基準面に対して押圧されて位置決めされる。このため、ファインダーベース８の上側部材８１と下側部材８２とによる分割方向である上下方向のプリズム５の挙動が抑止されることにより、この分割方向のプリズム５の取り付け誤差が解消されるため、パララックス等の発生の問題は生じない。
【００３５】
このとき、プリズム５は、前述の通り、ファインダーベース８の下側部材８２に一体形成された付勢部材９によって、下側部材８２の一壁面８２ｂを一基準面として付勢されるように構成されているため、下側部材８２の底部平面８２ｆを、上記基準面とは異なる方向のもう一つの基準面として押圧部８１０による押圧されることと相俟って、ファイダーベース８における異なる方向の２つの基準面に対して押し付けられるため、簡易な構成により光軸との一致を確実に取ることができる。
【００３６】
しかも、このプリズム５の平面部５３及び上側部材８１内面の押圧部８１０が位置するファインダーベース８の後方側には、これら平面部５４及び押圧部８１０と壁面８１ｃを挟んだ位置に、上記の通り係止爪１０３と係止板１０５の係止穴１０４との係合により上側部材８１と下側部材８２とが固定される固定部が配置されているため、この固定部による固定力を、上側部材８１の押圧部８１０がプリズム５の平面部５４を押圧する際の押圧力として作用させることができるため、プリズム５をファインダーベース８の下側部材８２内に確実に固定することができる。
【００３７】
なお、図示しないが、上記押圧部８１０又はプリズム５の平面部５４の表面にゴムや発泡体等の弾性部材を設け、上側部材８１とプリズム５を収容した下側部材８２とを組み付けた際に、上記押圧部８１０が弾性部材を介してプリズム５の平面部５４を弾性的に押圧することにより、部品精度のばらつきによる荷重の不安定化を解消し、プリズム５の平面部５４の全面に亘って安定した荷重で確実に押圧できるようにすることも好ましい。
【００３８】
以上の説明では、プリズム５をファインダーベースの基準面に対して押し付ける付勢部材９を下側部材８２に一体形成したが、上側部材８１に一体形成するようにしてもよい。
【００３９】
また、以上の説明では、プリズム５を押圧する押圧部８１０を上側部材８１に設け、これによりプリズム５の平面部５４を下側部材８２に対して押圧するようにしたが、プリズム５に対する押圧方向はファインダーベース８を構成する２つの部材、即ち上側部材８１と下側部材８２の分割方向に沿う方向から押圧すればよく、上記態様に限定されない。従って、上記態様とは逆に、押圧部８１０を下側部材８２に形成し、プリズム５の平面部５４は下側部材８２に対向するように形成してもよい。
【００４０】
【発明の効果】
請求項１記載の発明によれば、視野枠に付勢部材を一体形成する必要なくプリズムを基準面に付勢でき、視野枠のコスト低減並びに視野枠の材料選択の自由度を向上させることのできるファインダーユニットを提供することができる。
【００４１】
請求項２記載の発明によれば、プリズム及びファンダーベースはいずれも樹脂製であるため、プリズムの収容時、該プリズムとファインダーベースに一体形成された付勢部材とが摺動した際に削りクズが発生する心配はない。
【００４２】
請求項３記載の発明によれば、互いに分割可能な２つの部材から構成されるファインダーベース内に収容されるプリズムを、ファインダーベースの分割方向の取り付け誤差なく確実に固定することのできるファインダーユニットを提供することができる。
【００４３】
請求項４記載の発明によれば、プリズムはファインダーベースに一体形成された付勢部材によって一基準面に付勢されるため、プリズムはファイダーベースにおける２つの基準面に対して押し付けられ、簡易な構成により光軸との一致を確実に取ることができる。
【００４４】
請求項５記載の発明によれば、プリズム及びファンダーベースはいずれも樹脂製であるため、プリズムの収容時、該プリズムとファインダーベースに一体形成された付勢部材とが摺動した際に削りクズが発生する心配はない。
【００４５】
請求項６記載の発明によれば、２つの部材を固定する固定力を一方の部材がプリズムを基準面に対して押圧する押圧力に作用させることができるため、プリズムをより確実に固定することができる。
【００４６】
請求項７記載の発明によれば、ファインダーベースの後方側に固定部を配置させてもその突出量が抑えられ、ファインダーユニットを小型化でき、カメラの小型化を図ることができる。
【００４７】
請求項８記載の発明によれば、上記効果を有するファインダーユニットを備えたカメラを提供することができる。
【図面の簡単な説明】
【図１】ファインダーユニットを組み付けたカメラの部分横断面図
【図２】図１の（ＩＩ）−（ＩＩ）線に沿う縦断面図
【図３】ファインダーユニットの部分分解斜視図
【図４】（ａ）は従来の視野枠の構造を示す斜視図、（ｂ）は従来の視野枠とプリズムをファインダーベースに収容した状態を示す部分縦断面図
【符号の説明】
１：カメラ
２：対物レンズ
３：接眼レンズ
４：レンズ群
５：プリズム
５１：膨出部
５２：ボス
５３：張り出し部
５４：平面部
５ａ：入射面
５ｂ：第１反射面
５ｃ：第２反射面
５ｄ：第３反射面
５ｅ：放射面
６：反射ミラー
７：視野枠
８：ファインダーベース
８１：上側部材
８２：下側部材
８１０：押圧部
９：付勢部材
１０：カメラ本体
１０３：係止爪
１０４：係止穴
【図１】
2004077730.tif 000003
【図２】
2004077730.tif 000004
【図３】
2004077730.tif 000005
【図４】
2004077730.tif 000006